(57)【要約】【課題】ブレードを正しいポートにケーブルを容易に再接続することができるようにするとともに、ケーブルの間のもつれをなくし、どのケーブルが特定のブレードに接続されているかをすばやく判定することができるケーブル管理方法を提供する。【解決手段】ラック・マウント設備のケーブル管理を実行するために個別にまたは組合わせて使用できるケーブル・ハーネス、ケーブル・クリップ、バンドル・クリップ。【選択図】図２
2005197225.tif 000002
【特許請求の範囲】
【請求項１】
複数のブレードが配置されるラックに取り付けることができるフレームであって、そのフレームは複数のチャネルを含み、各チャネルは前記ブレードの１つからの少なくとも１つのケーブルを前記ラックの背面に向かってルーティングする、フレームと、
前記フレームに結合することができるチャネル・アレイであって、前記チャネル・アレイが複数のチャネルを含み、各チャネルが、前記ブレードの１つからの少なくとも１つのケーブルを前記ラックの一方側に向かってルーティングする、チャネル・アレイと
を含むケーブル・ハーネス。
【請求項２】
前記フレームに結合することができる第２チャネル・アレイであって、前記第２チャネル・アレイが複数のチャネルを含み、各チャネルが、前記ブレードの１つからの少なくとも１つのケーブルを前記ラックの対向する側面に向かってルーティングする、第２チャネル・アレイ
をさらに含む請求項１に記載のケーブル・ハーネス。
【請求項３】
前記フレームが、前記チャネル・アレイを受ける第１ベイと、前記第２チャネル・アレイを受ける第２ベイを区画する請求項２に記載のケーブル・ハーネス。
【請求項４】
前記第１ベイと前記第２ベイのそれぞれが、少なくとも１つのガイド要素を含み、各ベイの前記少なくとも１つのガイド要素がそのベイ内のチャネル・アレイを位置決めする請求項３に記載のケーブル・ハーネス。
【請求項５】
前記チャネル・アレイと前記第２チャネル・アレイのそれぞれが、少なくとも１つのファスナを使用して前記フレームに結合される請求項３に記載のケーブル・ハーネス。
【請求項６】
前記チャネル・アレイと前記第２チャネル・アレイのそれぞれが、スナップはめによって前記フレームに結合される請求項３に記載のケーブル・ハーネス。
【請求項７】
前記フレームの前記チャネルのそれぞれが、前記少なくとも１つのケーブルを、前記ラックの開かれたキャビティへ、前記ラックの前記背面に向かってルーティングする請求項１に記載のケーブル・ハーネス。
【請求項８】
前記ラックの前記背面で、前記チャネルのそれぞれに関連する前記少なくとも１つのケーブルが、前記ラックの最上部に向かってルーティングされる請求項７に記載のケーブル・ハーネス。
【請求項９】
前記チャネル・アレイの各チャネルがアンカリング・デバイスを受けるフックを含み、前記アンカリング・デバイスが複数のケーブルを保持する請求項１に記載のケーブル・ハーネス。
【請求項１０】
前記チャネル・アレイの各チャネルがアンカリング・デバイスを受ける対向するスロットの対を含み、前記アンカリング・デバイスが複数のケーブルを保持する請求項１に記載のケーブル・ハーネス。
【請求項１１】
前記フレームに取り付けることができるカバーをさらに含み、前記カバーが前記チャネル・アレイの上に横たわる請求項１に記載のケーブル・ハーネス。
【請求項１２】
前記フレームの各チャネルが、床と前記床から上に延びる２つの対向する側壁を有する全体的に長方形の開いたチャネルを含む請求項１に記載のケーブル・ハーネス。
【請求項１３】
前記チャネル・アレイの各チャネルが床と前記床から上に延びる２つの対向する側面を有する全体的に長方形の開いたチャネルを有する請求項１に記載のケーブル・ハーネス。
【請求項１４】
前記チャネル・アレイの前記チャネルのそれぞれが、約９０°の円弧に沿って延びる請求項１３に記載のケーブル・ハーネス。
【請求項１５】
前記床が形状において全般的に半円形である請求項１３に記載のケーブル・ハーネス。
【請求項１６】
前記フレームと前記チャネル・アレイのそれぞれが、プラスティック材料を含む請求項１に記載のケーブル・ハーネス。
【請求項１７】
前記フレームと前記チャネル・アレイのそれぞれが、成形法を使用して構成される請求項１６に記載のケーブル・ハーネス。
【請求項１８】
ケーブル・クリップであって、
第１端と対向する第２端を有する縦に延びる本体と、
前記第１端と前記第２端との間で前記本体に配置され、それぞれがケーブルを保持する複数のクラスプと、
前記本体の前記第１端に配置され、前記ケーブル・クリップを別のケーブル・クリップの１端に取り付ける第１結合機構と、
前記本体の前記第２端に配置され、前記ケーブル・クリップを別のケーブル・クリップの１端に取り付ける第２結合機構と
を含むケーブル・クリップ。
【請求項１９】
前記第１結合機構が、前記第２結合機構と同一である請求項１８に記載のケーブル・クリップ
【請求項２０】
前記第１結合機構が、前記第２結合機構に関して１８０°に向けられる請求項１９に記載のケーブル・クリップ
【請求項２１】
前記第１結合機構と前記第２結合機構のそれぞれが、
前記本体の前記端の１つから延び、前記本体の一方側に配置された弾力のある柔軟な腕であって、前記柔軟な腕が、その外側の端に配置された突起を有する、柔軟な腕と、
前記本体の対向する側面で前記１つの端の近くに配置されたノッチであって、前記ノッチが、別のケーブル・クリップの結合機構の弾力のある柔軟な腕の突起を受ける、ノッチと
を含む請求項２０に記載のケーブル・クリップ
【請求項２２】
前記第１結合機構と前記第２結語機構のそれぞれが、さらに、
前記本体の前記柔軟な腕の近くに配置され、前記本体の前記１端から延びる対向するガイド・ポストの対であって、向き合っている腕の対が、別のクリップに配置された対向するガイド面の対とかみ合う、ガイド・ポストの対と、
前記本体の前記対向するガイド・ポストに隣接して配置された対向するガイド面の対であって、前記対向するガイド面が、別のケーブル・クリップに配置された対向するガイド・ポストの対とかみ合う、ガイド面の対と
を含む請求項２１に記載のケーブル・クリップ
【請求項２３】
前記弾力のある柔軟な腕がハンドルを含み、前記ハンドルが、前記弾力のある柔軟な腕の前記外側の端から延びる角度付きの延長部分を含む請求項２１に記載のケーブル・クリップ
【請求項２４】
前記クラスプのそれぞれが、
前記本体から延びる第１の弾力のある柔軟な腕と、
前記本体から延び、前記第１の弾力のある柔軟な腕から離隔された第２の弾力のある柔軟な腕と
を含み、前記第１の腕と前記第２の腕との間の間隔が、前記ケーブルの直径より大きいサイズを有する請求項１８に記載のケーブル・クリップ
【請求項２５】
前記第１の腕の外側の端が、前記ケーブルの前記直径より小さい距離だけ前記第２の腕の外側の縁から分離される請求項２４に記載のケーブル・クリップ
【請求項２６】
等しい数の前記クラスプが、前記本体の対向する側面のそれぞれに配置される請求項２４に記載のケーブル・クリップ
【請求項２７】
前記本体がプラスティック材料を含む請求項１８に記載のケーブル・クリップ
【請求項２８】
前記本体が成形法を使用して構成される請求項２７に記載のケーブル・クリップ
【請求項２９】
バンドル・クリップであって、
第１端から対向する第２端まで延び、複数のケーブルを受けるのに十分なサイズを有する内部領域を区画する円筒形の本体と、
前記第１端と前記第２端の間に配置され、前記内部領域に開かれた入口であって、前記入口が前記ケーブルの１つの直径より小さいサイズを有する、入口と、
前記本体の側面に配置され、前記バンドル・クリップを別のバンドル・クリップに取り付ける第１結合機構と、
前記本体の側面に配置され、前記バンドル・クリップを別のバンドル・クリップに取り付ける第２結合機構と
を含むバンドル・クリップ。
【請求項３０】
前記本体が弾力のある柔軟な材料を含む請求項２９に記載のバンドル・クリップ。
【請求項３１】
前記入口へのケーブルの挿入時に、前記本体が、前記ケーブルを受けるのに十分なサイズまで前記入口を拡大するために弾性変形する請求項３０に記載のバンドル・クリップ。
【請求項３２】
前記弾力のある柔軟な材料がプラスティック材料を含む請求項３０に記載のバンドル・クリップ。
【請求項３３】
前記本体が、成形法を使用して構成される請求項３２に記載のバンドル・クリップ。
【請求項３４】
前記入口に近接する前記本体の前記第１端と前記第２端のそれぞれが丸められる請求項２９に記載のバンドル・クリップ。
【請求項３５】
前記入口に近接する前記本体の前記第１端と前記第２端のそれぞれの形状が半円形である請求項２９に記載のバンドル・クリップ。
【請求項３６】
前記第１結合機構が、
前記本体の外側に配置され、第２バンドル・クリップに配置されたかみ合うキーを滑り可能に受けるキー溝と、
前記キー溝に近接する前記本体の前記外側に配置され、外側端から延びる突起を有する弾力のある柔軟な腕と
を含み、前記キー溝への前記第２バンドル・クリップの前記キーの挿入時に、前記腕の前記外側端の前記突起が前記第２バンドル・クリップの対応するノッチとかみ合う請求項２９に記載のバンドル・クリップ。
【請求項３７】
前記第２結合機構が、
前記本体の前記外側に配置され、第２バンドル・クリップに配置された対応するキー溝と滑り可能にかみ合うキーと、
前記キーの近くで前記外側に配置されたノッチと
を含み、前記第２バンドル・クリップの前記キー溝への前記キーの挿入時に、前記ノッチが、前記第２バンドル・クリップから延びる弾力のある柔軟な腕の端の突起とかみ合う請求項２９に記載のバンドル・クリップ。
【請求項３８】
前記第１結合機構および前記第２結合機構が、約１８０°の角度だけ分離される請求項２９に記載のバンドル・クリップ。
【請求項３９】
前記本体から延び、前記第１結合機構に近接して配置される第１支持要素であって、前記第１支持要素が、前記第１結合機構を第２バンドル・クリップに結合する時に、前記第２バンドル・クリップの外側表面と接触する、第１支持要素と、
前記本体から延び、前記第２結合機構に近接して配置される第２支持要素であって、前記第２支持要素が、前記第２結合要素を第３バンドル・クリップに結合する時に、前記第３バンドル・クリップの外側表面と接触する、第２支持要素と
を含む請求項２９に記載のバンドル・クリップ。
【請求項４０】
前記円筒形の本体が楕円形の形状を含む請求項２９に記載のバンドル・クリップ。
【請求項４１】
内部キャビティを有する全体的に長方形のハウジングを含むラックと、
前記ハウジングの前記内部キャビティ内に配置された複数のブレードであって、前記ブレードの少なくともいくつかのそれぞれが複数のコネクタを含み、各コネクタがケーブルに結合される、複数のブレードと、
ケーブル・ハーネスであって、
複数のチャネルを含み、各チャネルが、前記ブレードの１つからの少なくとも１つのケーブルを前記ラックの背面に向かってルーティングする、前記ラックに取り付けられたフレームと、
前記フレームに取り付けられたチャネル・アレイであって、前記チャネル・アレイが、複数のチャネルを含み、各チャネルが、前記ブレードの１つからの少なくとも１つのケーブルを前記ラックの一方側に向かってルーティングする、チャネル・アレイと
を含むケーブル・ハーネスと
を含むラック・マウント設備。
【請求項４２】
前記フレームに取り付けられた第２チャネル・アレイをさらに含み、前記第２チャネル・アレイが複数のチャネルを含み、各チャネルが前記ブレードの１つからの少なくとも１つのケーブルを前記ラックの対向する側面に向かってルーティングする請求項４１に記載の設備。
【請求項４３】
前記ブレードの１つから延びる少なくとも１つのケーブルを保持する第１ケーブル・クリップと、
前記ブレードの１つから延びる少なくとも１つのケーブルを保持する第２ケーブル・クリップであって、前記第２ケーブル・クリップが、前記第１ケーブル・クリップの１端のかみ合う結合機構と結合された結合機構を１端に有する、第２ケーブル・クリップと
をさらに含む請求項４１に記載の設備。
【請求項４４】
前記第１ケーブル・クリップに関連するケーブルのグループを保持する第１バンドル・クリップと、
前記第２ケーブル・クリップに関連するケーブルのグループを保持する第２バンドル・クリップであって、前記第２バンドル・クリップが、前記第１バンドル・クリップの一方側のかみ合う結合機構に結合された結合機構を一方側に有する、第２バンドル・クリップと
をさらに含む請求項４３に記載の設備。
【請求項４５】
前記第１ケーブル・クリップおよび前記第２ケーブル・クリップのそれぞれが、前記ブレードの同一の１つに関連するケーブルを保持している請求項４３に記載の設備。
【請求項４６】
前記同一の１つのブレードに関連するすべてのケーブルが、前記ケーブル・ハーネスの１チャネル内に配置され、前記１チャネルが、前記チャネル・アレイのチャネルまたは前記フレームのチャネルを含む請求項４５に記載の設備。
【請求項４７】
ラックに配置されるブレードから延びるケーブルの第１組を第１ケーブル・クリップ内で固定することと、
前記ブレードから延びるケーブルの第２組を第２ケーブル・クリップ内で固定することと、
前記第２クリップを前記第１クリップに取り付けることと、
ケーブルの前記第１組を第１バンドル・クリップに挿入することと、
ケーブルの前記第２組を第２バンドル・クリップに挿入することと、
前記第２バンドル・クリップを前記第１バンドル・クリップに取り付けることと
を含む方法。
【請求項４８】
ケーブルの前記第１組と前記第２組をケーブル・ハーネスの複数のチャネルの１つにルーティングすることをさらに含み、前記１つのチャネルが、ケーブルの前記第１組と前記第２組を前記ラックに隣接して配置されたレースウェイに向かってルーティングする請求項４７に記載の方法。
【請求項４９】
前記１つのチャネルが、ケーブルの前記第１組と前記第２組を、前記ラックの側面に向かってルーティングする請求項４８に記載の方法。
【請求項５０】
前記１つのチャネルが、ケーブルの前記第１組と前記第２組を、前記ラックの背面に向かってルーティングする請求項４８に記載の方法。
【請求項５１】
ケーブルの第１グループをラックに設置されたケーブル・ハーネスの第１チャネル内に配置することであって、前記第１チャネルが、ケーブルの前記第１グループを前記ラックの側面に向かってルーティングする、配置することと、
ケーブルの第２グループを前記ケーブル・ハーネスの第２チャネルに配置することであって、前記第２チャネルが、ケーブルの前記第２グループを前記ラックの背面に向かってルーティングする、配置することと
を含む方法。
【請求項５２】
ケーブルの前記第１グループが、それぞれ、前記ラック内に配置された第１ブレードに接続され、ケーブルの前記第２グループが、それぞれ、前記ラック内に配置された第２ブレードに接続される請求項５１に記載の方法。
【請求項５３】
ケーブルの前記第１グループのそれぞれを、第１個数の相互接続されたケーブル・クリップの１つの中で固定することと、
ケーブルの前記第２グループのそれぞれを、第２個数の相互接続されたケーブル・クリップの１つの中で固定することと
をさらに含む請求項５２に記載の方法。
【請求項５４】
ケーブルの前記第１グループを、対応する第１個数の相互接続されたバンドル・クリップ内で保持することと、
ケーブルの前記第２グループを、対応する第２個数の相互接続されたバンドル・クリップ内で保持することと
をさらに含む請求項５３に記載の方法。
【発明の詳細な説明】
【技術分野】
【０００１】
本発明は、全般的にはラック・マウント・コンピューティング・デバイスに関し、具体的には、ラック・マウント設備のケーブル管理のシステムと方法に関する。
【背景技術】
【０００２】
コンピュータ・ネットワーキングや遠隔通信などのコンピューティング応用例では、しばしば、比較的小さい面積に多数のコンピューティング・デバイス（たとえば、スイッチ、ルータ、サーバなど）を保管する必要がある。そのような高いコンポーネント密度を容易にするために、複数のコンピューティング・デバイスが、通常、「ラック」に一緒に取り付けられる。ラックは、「シャシ」または「ケージ」とも称されており、さまざまなそのようなラック・マウント設備が当技術分野で既知である。
【０００３】
普通のラック・マウント設備１０の例を、図１に示す。ラック・マウント設備１０には、ラック１００とそのラック１００との間でケーブルをルーティングする複数のレースウェイ５１、５２、５３が含まれる。ラック１００には、複数の個々のコンピューティング・デバイス１５０を受けることができる内部キャビティ１２０を有する長方形のハウジング１１０が含まれる。デバイス１５０のそれぞれに、スイッチ、ルータ、サーバなど、任意のタイプのコンピューティング・システムまたはデバイスを含めることができる。１つまたは複数のデバイス（たとえば、キャビティ１２０の中央付近に位置決めされた２つのデバイス１５０）に、ラック・マウント設備のコントローラ・ユニットを含めることができる。デバイス１５０を、「ブレード」、「回路ボード」、または単に「ボード」と称する場合もある。一般に、用語「ブレード」が、本明細書で、図１に示されたものなど、ラック１００に受けることができるコンピューティング・デバイスを指すのに使用される。また、ラック１００に、図示を簡単にするために図１に示されていない、電源、ファンなどの他のコンポーネントを含めることができることを理解されたい。
【特許文献１】米国特許第６３１０２９４号
【特許文献２】米国特許第６５０１８９９号
【特許文献３】米国特許第６５４６１８１号
【特許文献４】米国特許第６５８４２６７号
【特許文献５】米国意匠特許第４２８３３０号
【特許文献６】米国特許第６２１５０６９号
【特許文献７】米国特許第６３８１３９３号
【特許文献８】米国特許第６５３９１６１号
【発明の開示】
【発明が解決しようとする課題】
【０００４】
ブレード１５０の多くのそれぞれに、複数のコネクタ１５５が含まれ、各コネクタ１５５には、ケーブル（たとえば、電気ケーブルまたは光ケーブル）が結合される。各ブレード１５０のコネクタ１５５に接続されたケーブルは、垂直レースウェイ５１、５２にルーティングされ、垂直レースウェイ５１、５２は、ケーブルを垂直に上へ、上側レースウェイ５３まで向ける（図１の矢印５を参照されたい）。ブレード１５０からレースウェイ５１、５２に延びるケーブルを管理する従来の手法の１つが、それぞれのブレードからレースウェイ５１、５２の１つへケーブルを単に自由に走らせることであった。しかし、各ブレード１５０のポートまたはコネクタ１５５の数が増える際に、そのような手法は非実用的になる。ブレード１５０が、ラック１００から取り外される時に、ケーブルの中の、さらにはケーブルと取り外されるブレードのそれぞれのコネクタ１５５の間の空間的関係が維持されなくなる。これらの空間的関係が、維持されず、他の形で簡単に確認できない場合、ブレードがラック１００に再設置される時に（または、同一のポート関係を有する異なるブレードがラックに設置される時に）、ブレード１５０の正しいポートにケーブルを再接続することが非常に困難になるであろう。さらに、実用的な問題として、適切なケーブル管理法式の欠如が、ケーブルの間のもつれをもたらし、さらに、どのケーブルが特定のブレードに接続されているかをすばやく判定することが困難になる。
【０００５】
上で述べたケーブル管理問題に対する解決策が、提案されており、これらの解決策には、所望のルートに沿ってケーブルを案内するさまざまな構造ならびにケーブルを保持するか束ねるさまざまなクリップが含まれる。ケーブルをルーティングする構造の例が、ジロラモ（Ｄｉ  Ｇｉｒｏｌａｍｏ）他の米国特許第６３１０２９４号、マーズ（Ｍａｒｒｓ）他の米国特許第６５０１８９９号、アダパシャ（Ａｄａｐａｔｈｙａ）他の米国特許第６５４６１８１号、キャベニイ（Ｃａｖｅｎｅｙ）他の米国特許第６５８４２６７号のそれぞれに開示され、ケーブル・クリップの例が、ジョンストン（Ｊｏｈｎｓｔｏｎ）他の米国意匠特許第４２８３３０号、マーチン（Ｍａｒｔｉｎ）他の米国特許第６２１５０６９号、マシューズ（Ｍａｔｔｈｅｗｓ）他の米国特許第６３８１３９３号、ホルマン（Ｈｏｌｍａｎ）他の米国特許第６５３９１６１号のそれぞれに開示されている。しかし、これらの解決策は、複数の方向にケーブルをルーティングする能力が限られている（たとえば、ケーブルは、一般に、ラックから横にのみルーティングされる）。さらに、従来技術のケーブル管理コンポーネントのそれぞれは、個別に、ケーブル管理に対する部分的解決策であり、提案された解決策のどれもが、ケーブル管理の統一されたシステムを提示していない。
【課題を解決するための手段】
【０００６】
一実施態様で、ケーブル・ハーネスに、ラックに取り付けることができるフレーム・ケーブルを設け、複数のブレードをそのラックに配置する。フレームに、複数のチャネルが含まれ、各チャネルは、ブレードの１つからの少なくとも１つのケーブルをラックの背面に向かってルーティングする。ケーブル・ハーネスに、さらに、フレームと結合することができるチャネル・アレイが含まれる。チャネル・アレイに、複数のチャネルが含まれ、各チャネルは、ブレードの１つからの少なくとも１つのケーブルをラックの１側面に向かってルーティングする。
【０００７】
もう１つの実施態様では、ケーブル・クリップが、第１端とそれに対向する第２端を有する縦に延びる本体を含む。ケーブルを保持する複数のクラスプが、第１端と第２端の間で本体に配置される。第１結合機構が本体の第１端に配置される。その第１結合機構は、ケーブル・クリップをもう１つのケーブル・クリップの１端に取り付ける。第２結合機構が本体の第２端に配置され、その第２結合機構は、ケーブル・クリップをもう１つのケーブル・クリップの１端に取り付ける。
【０００８】
もう１つの実施態様では、バンドル・クリップに、第１端から対向する第２端へ延び、複数のケーブルを受けるのに十分なサイズを有する内部領域を区画する輪形本体が含まれる。内部領域に開かれ、ケーブルの１つの直径より小さいサイズを有する入口が、第１端と第２端の間に配置されている。バンドル・クリップをもう１つのバンドル・クリップに取り付ける第１結合機構が、本体の側面に配置されている。バンドル・クリップをもう１つのバンドル・クリップに取り付ける第２結合機構が、本体の反対の側面に配置されている。
【０００９】
もう１つの実施態様では、ラック・マウント設備に、ラックが含まれ、このラックに、内部キャビティを有する全体的に長方形のハウジングが含まれる。複数のブレードが、ハウジングの内部キャビティに配置され、ブレードの少なくとも一部のそれぞれに、複数のコネクタが含まれ、各コネクタはケーブルと結合される。ラック・マウント設備に、ケーブル・ハーネスも含まれる。ケーブル・ハーネスにラックに取り付けられたフレームが含まれ、フレームに複数のチャネルが含まれ、各チャネルが、ブレードの１つからの少なくとも１つのケーブルをラックの背面に向かってルーティングする。ケーブル・ハーネスに、さらに、フレームに取り付けられたチャネル・アレイが含まれ、チャネル・アレイに、複数のチャネルが含まれ、各チャネルは、ブレードの１つからの少なくとも１つのケーブルをラックの１側面に向かってルーティングする。
【００１０】
もう１つの実施態様は方法であって、ラック内に配置されるブレードから延びるケーブルの第１組を第１ケーブル・クリップに固定し、ブレードから延びるケーブルの第２組を第２ケーブル・クリップに固定する。第２ケーブル・クリップは、第１ケーブル・クリップに取り付けられる。この方法には、さらに、第１バンドル・クリップにケーブルの第１組を挿入することと、第２バンドル・クリップにケーブルの第２組を挿入することが含まれる。第２バンドル・クリップは、第１バンドル・クリップに取り付けられる。
【００１１】
もう１つの実施態様の方法は、ラックに設置されるケーブル・ハーネスの第１チャネル内にケーブルの第１グループを配置する。第１チャネルが、ケーブルの第１グループをラックの側面に向かってルーティングする。この方法に、さらに、ケーブル・ハーネスの第２チャネル内にケーブルの第２グループを配置することが含まれ、第２チャネルは、ケーブルの第２グループをラックの背面に向かってルーティングする。
【発明を実施するための最良の形態】
【００１２】
下で説明するのは、ラック・マウント設備のケーブルをルーティングするのに使用されるケーブル・ハーネス、ケーブル・クリップ、バンドル・クリップのさまざまな実施形態である。ケーブル・ハーネス、ケーブル・クリップ、バンドル・クリップを、それぞれ、ケーブル管理に個別に使用することができ、あるいは、もう１つの実施形態では、ケーブル・ハーネス、ケーブル・クリップ、バンドル・クリップを、ケーブル管理システムとして一緒に（または適切な組合せで）使用することができる。開示される実施形態は、ラックのサイズまたは構成にかかわらず、ラック内に配置されるブレードのタイプ、個数、向き（たとえば、水平または垂直）にかかわらず、すべてのタイプのラックに応用することができる。
【００１３】
図２に移ると、ラック・マウント設備２００の一実施形態が示されている。ラック・マウント設備２００に、ラック１００とそのラック１００からまたはそのラックへケーブルをルーティングする複数のレースウェイ５１、５２、５３が含まれている。ラック１００は、上で図１で示したものと同一または類似するものとすることができる。前に説明したように、ラック１００に、複数の個々のブレード１５０を受けることができる内部キャビティ１２０を有する長方形のハウジング１１０が含まれる。ブレード１５０のそれぞれに、スイッチ、ルータ、サーバなど、任意のタイプのコンピューティング・システムまたはデバイスを含めることができる。１つまたは複数のブレード（たとえば、内部キャビティ１２０の中央付近に配置された２つのブレード１５０）に、ラック・マウント設備のコントローラ・ユニットを含めることができることに留意されたい。ブレード１５０の少なくとも一部のそれぞれに、複数のコネクタ１５５が含まれ、各コネクタ１５５に、ケーブル（たとえば電気ケーブルまたは光ケーブル）が結合される。やはり、ラック１００に、図示を簡単にするために図２に示されていない他のコンポーネント（たとえば電源、ファンなど）を含めることができることを理解されたい。図２に示されたラック１００が、開示される実施形態の応用例を見ることができるラックの１つの例にすぎないこと、さらに、開示される実施形態をすべてのタイプのラックまたはラック・マウント設備と共に使用できることも理解されたい。
【００１４】
ブレード１５０のいずれかのコネクタ１５５に接続されたケーブルをルーティングするために、ラック・マウント設備２００に、さらに、ケーブル・ハーネス３００が含まれている。一実施形態で、ケーブル・ハーネス３００は、ハウジング１１０内で内部キャビティ１２０（およびブレード１５０）の上にある開かれたキャビティ１９０内に配置される。代替実施形態では、ケーブル・ハーネス３００が、単にラックの最上部に配置される。ケーブル・ハーネス３００は、ブレード１５０からレースウェイ５１、５２、５３の１つに向かってケーブルをルーティングすることができる。一実施形態で、ケーブル・ハーネス３００が、１つまたは複数のケーブルを外に、ラック１００から離れる方向に、レースウェイ５１にルーティングすることができ（矢印６を参照されたい）、１つまたは複数のケーブルを外に、ラック１００から離れる反対の方向に、レースウェイ５２にルーティングすることができ（矢印７を参照されたい）、さらに、１つまたは複数のケーブルを、ラック１００の背面に向かって、開かれたキャビティ１９０にルーティングし、ケーブルが垂直に上に（矢印８を参照されたい）レースウェイ５３にルーティングされるようにすることができる。
【００１５】
図２と共に図３Ａ、３Ｂを参照して、ケーブル・ハーネス３００の一実施形態を詳細に説明する。ケーブル・ハーネス３００はフレーム４００を含む。フレーム４００に、第１チャネル・アレイ５００ａと第２チャネル・アレイ５００ｂが配置される。一実施形態で、図２、３Ａ、３Ｂには示されていないが、ケーブル・ハーネスに、さらに、フレーム４００に取り付けることができ、取り付けられた時に、フレーム４００、第１、第２のチャネル・アレイ５００ａ、５００ｂの上に横たわる、フロント・カバー（図６Ａ〜Ｅと７を参照されたい）が含まれる。もう１つの実施形態で、ケーブル・ハーネス３００を、複数のケーブル・クリップおよび／または複数のバンドル・クリップと共に使用することができ、これらのケーブル・クリップとバンドル・クリップの両方を、下で詳細に説明する（図８Ａ〜１４と付随するテキストを参照されたい）。
【００１６】
フレーム４００の１つの実施形態を、図４Ａ〜４Ｄに示す。これらの図ならびに図３Ａ、３Ｂを参照すると、フレーム４００に、第１ベイ４２０ａと第２ベイ４２０ｂを区画する全体的に長方形の形状の本体４１０が含まれる。ベイ４２０ａ、４２０ｂのそれぞれは、図３Ａ、３Ｂに示されたチャネル・アレイ５００ａ、５００ｂの１つを受けるサイズにされ、構成される。フレーム４００は、プラスティック材料などの適切な材料から構成することができ、もう１つの実施形態で、フレーム４００は、成形法を使用して構成される（たとえば、射出成形されたプラスティック）。もう１つの実施形態では、フレーム４００は、単一の部品（たとえば射出成形法によって達成できる）として構成される。
【００１７】
ベイ４２０ａは、中央ポスト４２４と直立ポスト４２２ａとによって、さらに直立ポスト４２２ａから延びるガイド要素４２３ａと中央ポスト４２４から延びるガイド要素４２５によって区画されている。同様に、第２ベイ４２０ｂは、中央ポスト４２４と反対側の直立ポスト４２２ｂとによって、さらに直立ポスト４２２ｂから延びるガイド要素４２３ｂと中央ポスト４２４のガイド要素４２５によって区画される。適切なファスナまたは取付けの方法を使用して、チャネル・アレイ５００ａ、５００ｂをフレーム４１０に固定することができる。一実施形態で、複数の穴４２６ａ（直立ポスト４２２ａと中央ポスト４２４に配置される）が第１ベイ４２０ａに関連し、複数の穴４２６ｂ（直立ポスト４２２ｂと中央ポスト４２４に配置される）が第２ベイ４２０ｂに関連する。チャネル・アレイ５００ａを、チャネル・アレイ５００ａ内の対応する穴（たとえば、下で説明する穴５５２）を介してフレーム４００の穴４２６ａに挿入されるねじ部品（または他の適切なファスナ）を使用してベイ４２０ａ内でフレーム４００に固定することができ、チャネル・アレイ５００ａは、直立ポスト４２２ａ、中央ポスト４２４、ガイド要素４２３ａ、４２５によってフレーム４００内に支持される。同様に、チャネル・アレイ５００ｂは、チャネル・アレイ５００ｂ内の対応する穴を介してフレーム４００の穴４２６ｂに挿入されるねじ部品を使用してベイ４２０ｂ内でフレーム４００に固定され、チャネル・アレイ５００ｂは、直立ポスト４２２ｂ、中央ポスト４２４、ガイド要素４２３ｂ、４２５によってフレーム４００内に支持される。もう１つの実施形態で、チャネル・アレイ５００ａ、５００ｂが、「スナップはめ」技法を使用してフレーム４００に固定される。もう１つの実施形態で、「スナップはめ」技法を使用して、まずチャネル・アレイ５００ａ、５００ｂをフレーム４００に固定し、チャネル・アレイが、フレームの定位置に保持されると同時に、ファスナが、チャネル・アレイをフレームに取り付けるように挿入されるようにする。
【００１８】
フレーム４１０は複数のチャネル４３０を含む。チャネルのそれぞれは、１つまたは複数のケーブルを受け（各ケーブルは、ブレード１５０の１つに結合される）、ラック１００の背面に向かう方向に（図４Ｂと４Ｄの矢印９を参照されたい）ケーブルをルーティングすることができる。開かれたキャビティ１９０内でラック１００の背面に向けられたならば、ケーブルを、上のレースウェイ５３に向けて上にルーティングすることができる（図２の矢印８を参照されたい）。チャネル４３０のそれぞれは、床４３２と床４３２から上に延びる対向する側壁４３４によって区画される。図３Ｂに最もよく示されているように、チャネル４３０は、第１、第２のベイ４２０ａ、４２０ｂ（およびチャネル・アレイ５００ａ、５００ｂ）の下にあり、これによって、チャネル・アレイ５００ａ、５００ｂがフレーム４００に設置される時にチャネル４３０へのケーブルのルーティングが可能になることに留意されたい。フレーム４００に、適切な数（たとえば、図に示されているように８つ）のチャネル４３０を含めることができ、所与の応用例に関して選択されるチャネルの数は、ラック１００のサイズ、ブレード１５０の数、ブレードごとのコネクタ１５５の数、ケーブルの直径などを含む複数の要因の関数である。
【００１９】
フレーム４００を、適切なファスナまたは取付けの方法を使用してラック１００に固定することができる。一実施形態で、フレーム４００が、複数のねじ部品（または他の適切なファスナ）を使用してラックに結合される。ファスナは、フレーム４００（たとえば直立ポスト４２２ａ、４２２ｂ）に配置された穴４２９を介してラック１００の対応する穴１１９（図３Ａを参照されたい）に挿入することができる。しかし、「スナップはめ」接続方式、磁気結合（フレーム４００とおそらくはラック・ハウジング１１０に磁石を挿入することによって作成される）など、フレーム４００（または、より一般的にはケーブル・ハーネス３００）をラック１００に固定する他のシステムまたは方法を使用することができることを理解されたい。
【００２０】
チャネル・アレイ５００の一実施形態（たとえば、チャネル・アレイ５００ａまたはチャネル・アレイ５００ｂのいずれか（一実施形態ではこの２つの構成要素が同一なので））を図５Ａ〜５Ｅに示す。チャネル・アレイ５００には、複数のチャネル５３０を有する全般的に１／４円形の本体５１０が含まれる。チャネル・アレイ５００は、プラスティック材料などの適切な材料から構成することができ、もう１つの実施形態では、チャネル・アレイ５００が、成形法を使用して構成される（たとえば、射出成形されたプラスティック）。もう１つの実施形態で、チャネル・アレイ５００は、単一の部品（たとえば射出成形法によって達成できる）として構成される。
【００２１】
前に注記したように、チャネル・アレイ本体５１０に、複数のチャネル５３０が含まれている。各チャネル５３０は、ほぼ９０°の円弧を通って延び、床５３２とその床５３２から上に延びる２つの対向する壁５３４によって区画される。チャネルのそれぞれは、１つまたは複数のケーブルを受け（各ケーブルは、ブレード１５０の１つに結合される）、ラック１００から離れる方向でラックの側面に向かってケーブルをルーティングすることができ、ケーブルを、レースウェイ５１、５２の１つに向かってルーティングすることができる（図２の矢印６および７を参照されたい）。チャネル・アレイ５００に、適切な数（たとえば、図に示されているように４つ）のチャネル５３０を含めることができ、所与の応用例で選択されるチャネルの数は、ラック１００（およびフレーム４００）のサイズ、ブレード１５０の数、ブレードごとのコネクタ１５５の数、ケーブルの直径などを含む複数の要因の関数である。
【００２２】
図３Ａ、３Ｂと５Ａ〜５Ｅで、チャネル・アレイ５００のチャネル５３０は、全体的に長方形の断面である。しかし、チャネル５３０が、任意の適切な形状と構成を有することができることを理解されたい。たとえば、図５Ｆ〜５Ｈに、チャネル・アレイの代替実施形態を示す。図５Ｆ〜５Ｈのチャネル・アレイ５００＊は、図５Ａ〜５Ｅに示された実施形態に似ているが、チャネル・アレイ５００＊の各チャネル５３０は、半円形の床５３２および床から上に延びる対向する壁５３４の対によって区画されることに留意されたい。
【００２３】
チャネル・アレイ５００をフレーム４００内で固定するために、チャネル・アレイ５００に、本体５１０から延びる２つのタブ５５０が含まれる。タブ５５０のそれぞれは、直立ポスト４２２ａの上側のガイド要素４２３ａ（または直立ポスト４２２ｂの上側のガイド要素４２３ｂ）に滑り可能に受けられるサイズにされ、構成され、タブ５５０のそれぞれは、中央ポスト４２４のガイド要素４２５に滑り可能に受けられるサイズにされ、構成される。図３Ａ、３Ｂを参照すると、チャネル・アレイ５００が、フレーム４００に設置される時に、タブ５５０の１つが、直立ポスト４２２ａの上側のガイド要素４２３ａ（または直立ポスト４２２ｂの上側のガイド要素４２３ｂ）とかみ合い、ガイド５５０の他方が、中央ポスト４２４のガイド要素４２５とかみ合う。また、チャネル・アレイ５００が、フレーム４００に設置される時に、本体５１０の表面５１５が、直立ポスト４２２ａの下側のガイド要素４２３ａ（または直立ポスト４２２ｂの下側のガイド要素４２３ｂ）に接する（または、少なくとも非常に近接する）。一実施形態で、タブ５５０のそれぞれに、ファスナ（たとえばねじ部品）を受ける穴５５２が含まれ、この穴は、上述したように、フレームの穴４２６ａ（または４２６ｂ）にファスナを挿入することによってフレーム４００にチャネル・アレイ５００を取り付けるのに使用することができる。適切な数のファスナを使用して、チャネル・アレイをフレーム４００に固定することができる。たとえば、図５Ｆ〜５Ｈのチャネル・アレイ５００＊には、追加の穴５５３が含まれ、フレーム４００のベイ４２０ａまたは４２０ｂのどちらにチャネル・アレイ５００＊が取り付けられるかに応じて２つの穴５５３のうちの１つだけが使用され、この穴５５３は、フレーム４００にチャネル・アレイ５００＊を取り付ける追加のファスナを受け、フレーム４００には、そのファスナを受ける追加の穴が、直立ポスト４２２ａ、４２２ｂのそれぞれに含まれる（図７Ｃの項目４２７ａ、４２７ｂを参照されたい）。
【００２４】
２つのチャネル・アレイ５００ａ、５００ｂが、図２〜３Ｂのフレーム４００に取り付けられることが図示されているが、単一のチャネル・アレイ５００だけをフレーム４００に設置できる（またはチャネル・アレイなし）ことに留意されたい。２つ、１つ、または０個のチャネル・アレイ５００のどれをフレーム４００に固定するかは、所与のラック・マウント設備の特定のケーブル・ルーティング要件の関数である。さらに、チャネル・アレイ５００が、性質においてモジュラーなので、追加のチャネル・アレイ５００を、いつでもフレーム４００に追加して（ベイ４２０ａまたは４２０ｂの１つが空いている場合に）、ケーブル・ルーティング容量を増やす要求を満たすことができる。同様に、チャネル・アレイ５００を、望まれる場合にいつでもフレーム４００から除去することができる。
【００２５】
一実施形態で、チャネル５３０のそれぞれに、フック（１つまたは複数）５７０が配置され、もう１つの実施形態で、対向するスロット５８０の対（１つまたは複数）が、チャネル５３０のそれぞれに形成される。フック５７０および／または対向するスロット５８０の対によって、さまざまなタイプのアンカまたはタイを使用して、チャネル５３０内でケーブルのグループを一緒に束ね、ケーブルの束をそのチャネル内に固定することが可能になる。たとえば、タイに、ベルクロ・ストラップ、ツイスト・タイ、または他のタイプのアンカリング・デバイスを含めることができる。タイは、フック５７０および／または対向するスロット５８０の対を使用してチャネル・アレイ本体５１０に固定することができる。たとえば、ベルクロ・ストラップが使用される場合に、ストラップを、対向するスロット５８０の１つを介し、チャネルの床５３２の下から、スロット５８０の他方を介して上にルーティングすることができる。その代わりに、ベルクロ・ストラップを、単にフック５７０の回りに固定することもできる。チャネル・アレイに、フック５７０および対向するスロット５８０の一方だけを含めるか、これらの要素を含めないことが可能であることを理解されたい。たとえば、図５Ｆ〜５Ｈのチャネル・アレイ５００＊には、フック５７０だけが含まれる。
【００２６】
上述したように、一実施形態で、ケーブル・ハーネスにカバーが含まれ、カバー６００の実施形態を図６Ａ〜６Ｅに示す。これらの図を参照すると、カバー６００に、前面６１１と対向する背面６１２を有する全体的に長方形の本体６１０が含まれる。カバー本体６１０の背面６１２から延びているのが、対向する上側位置決め要素６２１と対向する下側位置決め要素６２２、さらには対向するロック機構６３０ａ、６３０ｂである。カバー６００には、１枚の紙（あるいはボール紙またはマーキングを行うことができる他の材料）を向けるディスプレイ区域６５０も含まれ、このディスプレイ区域６５０で、ケーブル・ハーネスの各チャネル４３０、５３０内のケーブルの識別に関する注記を行うことができる。紙シートは、タブ６５５を使用して（または紙シートの上に配置され、タブ６５５に固定される透明なプラスティック・カバーを使用して）、または他の適切な取付け方式（たとえば接着剤）によって、ディスプレイ区域６５０に取り付けることができる。
【００２７】
カバー６００は、プラスティック材料などの適切な材料から構成することができ、もう１つの実施形態では、カバー６００が、成形法を使用して構成される（たとえば、射出成形されたプラスティック）。もう１つの実施形態で、カバー６００は、単一の部品（たとえば射出成形法によって達成できる）として構成される。もう１つの実施形態で、カバー本体６１０に、本体の背面６１２に形成される複数の支持リブ６１７が含まれ、これらの支持リブ６１７は、カバーの構造的支持および剛性（たとえば曲げに対する抵抗）を提供する。
【００２８】
位置決め要素６２１、６２２は、フレーム４００上でカバー６００を配置し、カバーをフレームに固定するのを助ける。上側位置決め要素６２１は、フレーム４００の直立ポスト４２２ａ、４２２ｂで上側ガイド要素４２３ａ、４２３ｂに滑り可能に受けられる（チャネル・アレイ５００のタブ５５０に似た形で）サイズにされ、構成される。下側位置決め要素６２２は、それぞれ直立ポスト４２２ａ、４２２ｂから延びる対向するスロット４６０ａ、４６０ｂ（図４Ａ〜４Ｄを参照されたい）に滑り可能に受けられるサイズにされ、構成される。カバー６００とフレーム４００の界面は、図６Ｆに示されており、図６Ｆには、フレームに設置されたカバーを伴うケーブル・ハーネス３００の側面断面図が示されている。この図を参照すると、上側位置決め要素６２１の１つが、上側ガイド要素４２３ａの中に延びて見え、下側位置決め要素６２２の１つが、スロット４６０ａの中に延びて見える。位置決め要素６２１、６２２は、それぞれの上側ガイド要素４２３ａ、ｂとスロット４６０ａ、ｂと係合される時に、フレーム４００上でカバー６００を位置決めすると同時に、フレームとカバーの間の相対的な移動を抑制するように機能する。
【００２９】
一実施形態で、図面からわかるように、ロック機構６３０ａ、６３０ｂのそれぞれに、それぞれ腕の端に配置された突起６３５ａ、６３５ｂを有する弾力のある柔軟な腕が含まれる。カバー６００が、フレーム４００に置かれる時に、ロック機構６３０ａ、６３０ｂのそれぞれが、フレーム４００の対向するスロット４６０ａ、４６０ｂの対応する１つに挿入され（図６Ｆを参照されたい）、ロック機構６３０ａ、６３０ｂの突起６３５ａ、６３５ｂが、それぞれフレーム４００のかみ合う保持要素４６５ａ、４６５ｂと係合して、フレームにカバー６００をロックする。カバー６００のロックを解除し、除去するために、ロック機構６３０ａ、６３０ｂを押下げ（たとえば、保持要素４６５ａ、４６５ｂに隣接するアパーチャ４６７ａ、４６７ｂを介してロック機構を押すことによって）て、それぞれ保持要素４６５ａ、４６５ｂからロック機構の突起６３５ａ、６３５ｂを係合解除する。
【００３０】
当業者は、カバー６００の特定の構成、この構成要素をフレーム４００に取り付ける形が、設計者に委ねられる設計選択の問題にすぎないことを諒解するであろう。例として、カバーの代替実施形態を図７Ａ、７Ｂに示し、フレームの代替実施形態を図７Ｃに示す。図７Ｃのフレーム４００＊、図７Ａ、７Ｂのカバー６００＊は、それぞれ、全体的に図４Ａ〜４Ｃのフレーム４００および図６Ａ〜６Ｅのカバー６００に似ている。しかし、カバー６００＊は、フレーム４００＊のクロスメンバ４７０に配置された弾力がある柔軟な腕４８０ａ、４８０ｂの向き合っている対によってフレーム４００＊に固定される（クロスメンバ４７０が、チャネル・アレイ５００または５００＊の上側ガイド要素としても機能することに留意されたい）。柔軟な腕４８０ａ、４８０ｂは、カバー６００＊に配置されたタブ６８０ａ、６８０ｂの向き合っている対と相互作用する。カバー６００＊は、さらに、フレーム４００＊のかみあうアパーチャ４９０ａ、４９０ｂに受けられるサイズにされ、構成された、カバー６００＊に配置された延長部分６９０ａ、６９０ｂの向き合っている対によってフレーム４００＊に固定される。延長部分６９０ａ、６９０ｂに、下に延びる突起６９１が含まれ、この突起６９１は、アパーチャ４９０ａ、４９０ｂを介して挿入される時に、それぞれのアパーチャに「取り込まれ」て、カバー６００＊の下側部分をフレーム４００＊に固定する。フレーム４００＊にカバー６００＊を取り付けるために、延長部分６９０ａ、６９０ｂが、カバーのそれぞれのアパーチャ４９０ａ、４９０ｂに置かれ、弾力のある腕４８０ａ、４８０ｂが、カバーのかみ合うタブ６８０ａ、６８０ｂに「スナップはめ」される。
【００３１】
ケーブル管理にケーブル・ハーネス３００を使用するために、フレーム４００が、ラック１００に取り付けられ、所望の数のチャネル・アレイ５００（たとえば、２つ、１つ、または０個）がフレームに固定される。ケーブルがブレード１５０に接続され、各ケーブルがフレーム４００のチャネル４３０の１つまたはチャネル・アレイ５００の１つのチャネル５３０の１つに配置される。ケーブルがフレーム４００のチャネル４３０に配置される場合に、そのケーブルは、ラックの開かれたキャビティ１９０を介してラックの背面にルーティングされ、ラックの背面で、ケーブルを上側レースウェイ５３に向かって上に向けることができる。ケーブルが、チャネル・アレイ５００のチャネル５３０に配置される場合に、そのケーブルは、ラック１００の１側面に向かって外に、垂直レースウェイ５１、５２の１つにルーティングされ、このレースウェイで、ケーブルを、上側レースウェイ５３に向かって上に向けることができる。チャネル・アレイ５００の１つのチャネル５３０に配置されるすべてのケーブルを、タイ（たとえばベルクロ・ストラップ）を使用して１束に一緒に固定することができ、このタイを、そのチャネルに関連するフック５７０または対向するスロット５８０の対を使用してチャネル・アレイ本体５１０に固定することができる。一実施形態で、所与のチャネル４３０、５３０内に配置されたケーブルのすべてが、同一のブレード１５０から発する（言い換えると、チャネル４３０、５３０のそれぞれが、単一のブレード１５０専用である）。すべてのケーブルをケーブル・ハーネス３００内に配置して、カバー６００をフレーム４００に固定する。
【００３２】
上述したように、一実施形態で、上で説明したケーブル・ハーネス３００を、ケーブル・クリップと共におよび／またはバンドル・クリップと共に使用することができる。ケーブル・クリップの実施形態とバンドル・クリップの実施形態をこれから説明する。しかし、開示されるケーブル・クリップとバンドル・クリップのそれぞれを、ケーブル・ハーネス３００なしで個別に（またはケーブル・ハーネスと共に個別に）使用することもでき、さらに、開示されるケーブル・クリップとバンドル・クリップを、ケーブル・ハーネス３００と共にまたはそれなしで一緒に使用できることを理解されたい。
【００３３】
図８Ａ〜８Ｅを参照すると、ケーブル・クリップ８００の実施形態が示されている。ケーブル・クリップ８００には、縦に長い本体８１０が含まれ、本体８１０は、本体の１端の第１結合機構８２０ａと本体の対向する端の第２結合機構８２０ｂを有する。本体の両側面に配置されているのが、複数のクラスプ８５０であり、各クラスプは、クリップ本体８１０にケーブル２（図８Ｂおよび８Ｄに破線で図示）を固定することができる。クリップ８００は、プラスティック材料などの適切な材料から構成することができ、もう１つの実施形態では、クリップ８００が、成形法を使用して構成される（たとえば、射出成形されたプラスティック）。もう１つの実施形態で、クリップ８００は、単一の部品（たとえば射出成形法によって達成できる）として構成される。
【００３４】
クラスプ８５０のそれぞれは、上述したように、ケーブル２を受け、保持することができる。ケーブル２は、電気（たとえば銅線）または光（たとえば光ファイバ）のいずれであれ、すべてのタイプのケーブルとすることができる。一実施形態で、各クラスプ８５０に、クリップ本体８１０から延びる弾力のある柔軟な腕８５１、８５２の向き合っている対が含まれる。向き合っている腕８５１、８５２によって、内部領域８５５が区画され、この内部領域は、ケーブル２を受けることができるサイズと形状を有する。この領域８５５の実際のサイズは、クリップ８００がそれと共に使用されることを意図されたケーブルの直径に依存する。向き合っている腕８５１、８５２によって、比較的により狭い入口８５７が形成され、入口８５７は、領域８５５に開けている。入口８５７は、クラスプ８５０からケーブルが逃げないようにするのに十分に小さいサイズを有しなければならない。一実施形態で、クラスプ８５０を、さまざまな直径のケーブル（たとえば、銅ケーブルや比較的小さい光ファイバ・ケーブル）と共に使用されるように設計することができる。この実施形態で、入口８５７が、より小さい直径のケーブルが逃げないようにするサイズにされなければならず、内部領域８５５は、より大きい直径のケーブルを受けるサイズにされなければならない。
【００３５】
クラスプ８５０の１つにケーブル２を挿入するために、ケーブルが、入口８５７に押し付けられ（腕８５１、８５２の端を、それぞれ、入口でのケーブルの挿入を容易にするために外に曲げることができることに留意されたい）、向き合っている腕８５１、８５２に対するケーブルの力によって、腕のそれぞれが外に弾性によってたわむ。向き合っている腕８５１、８５２の弾性変形が、ケーブルの通過を可能にする距離への入口８５７の幅の拡張に十分である（たとえば、入口８５７がケーブルの直径とほぼ等しい幅を有する）時に、ケーブルが、入口８５７を介して内部領域８５５へ通過する。内部領域８５５へのケーブル２の通過の際に、向き合っている腕８５１、８５２が、元の変形していない状態に戻る。
【００３６】
クリップ８００に、適切な数のクラスプ８５０を含めることができる。クラスプ８５０の実際に選択される数は、ケーブルの直径、各ブレード１５０のコネクタ１５５の数、各ブレードでのコネクタの配置を含む、さまざまな要因に依存する。一実施形態で、クリップ８００のクラスプ８５０の数は、ブレードから延びるケーブルの指定された部分を保持するのに十分であり、ケーブルの総数の他の部分は、他のクリップによって保持される。たとえば、ブレードに、２×６アレイに編成された４８個のコネクタが含まれる場合に、１つのクリップ８００が、コネクタの２×６アレイの１つに関連するケーブルを保持することができる。したがって、合計４つのクリップ８００を、そのブレード１５０に接続されるすべてのケーブルを保持するのに使用することができ、この４つのクリップを、下で説明するように結合機構８２０ａ、８２０ｂによって端と端を接して一緒に取り付けることができる。
【００３７】
上述したように、クリップ８００に、結合機構８２０ａ、８２０ｂの向き合っている対が含まれ、これらの結合機構を使用して、任意の数のクリップを端と端を接する構成で一緒に相互接続することができる。一実施形態で、図８Ａ〜８Ｅ、図９Ａ〜１０に示されているように、結合機構８２０ａ、８２０ｂは同一である（または少なくとも実質的に似ている）が、第１結合機構は、本体８１０で、第２結合機構８２０ｂの向きから１８０°（縦に延びる本体８１０の中心８０５の回りで測定）離れた向きを有する。各結合機構に、クリップ本体８１０の１端から延びる弾力のある柔軟な腕８２１と、腕８２１の外側の端から延びる突起８２２が含まれる。柔軟な腕８２１の、クリップ本体８１０から延びる対向する面に配置されているのが、ガイド・ポスト８２６、８２７である。柔軟な腕８２１の、ガイド・ポスト８２６、８２７に隣接した対向する面に配置されているのが、それぞれガイド面８２８、８２９である。また、各結合機構に、本体８１０（本体の、腕８２１が配置される側面と対向する側面）に配置されたノッチ８２４が含まれる。
【００３８】
図９Ａ〜９Ｃに、２つのクリップ８００の相互接続を示す。まず図９Ａを参照すると、第１クリップ８００ａが第２クリップ８００ｂに取り付けられている。クリップ８００ａの結合機構８２０ａがクリップ８００ｂの結合機構８２０ｂに結合される。２つのクリップ８００ａ、８００ｂが一緒に接続される時に、結合機構８２０ａの柔軟な腕８２１の突起８２２が、結合機構８２０ｂのノッチ８２４内におさまり、結合機構８２０ｂの柔軟な腕８２１の突起８２２が、結合機構８２０ａのノッチ８２４内におさまる。これを、図９Ｂにさらに示すが、図９Ｂは、相互接続されたクリップ８００ａ、８００ｂの結合機構８２０ａ、８２０ｂの間の相互作用を示す概略図である。図９Ｂからわかるように、結合機構８２０ａ、８２０ｂの腕８２１の突起８２２が、それぞれ、他の結合機構のかみ合うノッチ８２４内に配置される。柔軟な腕８２１の弾性の性質によって、接続プロセス中に腕が変形し、完全に係合した時に、変形されない（または部分的に変形された）状態に戻ることができ、突起８２２のそれぞれが、それにかみ合うノッチ８２４内にある。さらに、結合機構８２０ａ、８２０ｂのガイド・ポスト８２６、８２７が、図９Ｃに示されているように、対向する結合機構のガイド面８２８、８２９とかみ合う。したがって、かみ合う突起８２２とノッチ８２４が、クリップ８００ａ、８００ｂの分離（中心線８０５に沿った方向での）を妨げ、かみ合うガイド・ポスト８２６、８２７とガイド面８２８、８２９が、クリップ８００ａ、８００ｂの間の相対的な移動（中心線８０５に垂直な方向での）を妨げるように機能し、これによって、２つのクリップ８００ａ、８００ｂの間の正確な接続がもたらされる（一実施形態で）。
【００３９】
クリップ８００ａ、８００ｂは、柔軟な腕８２１の弾性変形の下でノッチ８２４と突起８２２の間に生じる力を克服するのに十分な力でクリップを引き離すことによって分離することができる。２つの相互接続されたクリップ８００ａ、８００ｂを分離するのを助けるために、柔軟な腕８２１に、図９Ｄの代替実施形態に示されているように、角度付きの延長部分８２３を含めることができる。角度付きの延長部分８２３は、突起８２２を他のクリップのそれとかみ合うノッチ８２４から解放し、これによって２つの相互接続されたクリップを簡単に分離できるようにするために、ユーザが柔軟な腕８２１を上に引き上げられるようにするハンドルとして機能する。また、もう１つの実施形態で、図９Ｄに示されているように、柔軟な腕８２１の突起８２２を、わずかに丸めて、かみ合うノッチ８２４からの引出を容易にすることができる（たとえば、柔軟な腕８２１の弾性変形の下でノッチ８２４と突起８２２の間に生じる力を克服するのに必要な力が減る）。
【００４０】
図８Ａ〜８Ｅ、９Ａ〜９Ｃに示された結合機構８２０ａ、８２０ｂが、２つ（または複数）のケーブル・クリップ８００を相互接続できる形の１つの例にすぎないことを理解されたい。当業者は、他の適切な相互接続方式またはデバイスを使用して、複数のクリップ８００を端と端を接する形で一緒に接続できることを諒解するであろう。
【００４１】
ケーブル・クリップ８００の使用の例を図１０に示す。この図を参照すると、ブレード１５０に、複数のコネクタ１５５が含まれる。コネクタ１５５は、２×６アレイ１５９ａ、１５９ｂ、１５９ｃに構成された１２個のコネクタのグループに一緒に配置される。３つのケーブル・クリップ８００ａ、８００ｂ、８００ｃが、上で説明したように、端と端を接する形で相互接続される。コネクタ１５５に接続された各ケーブル２は、クラスプ８５０の１つの中に置かれ、クリップ８００ａからｃのそれぞれは、２×６アレイ１５９ａからｃの１つに関連するケーブルのすべてを保持することができる（たとえば、クリップ８００ｂは、図１０に示されているように、コネクタの２×６アレイ１５９ｂから発するすべてのケーブルを保持する）。図１０には、３つのクリップ８００ａ〜ｃだけが示されているが、適切な数のクリップ８００を相互接続して、ブレード１５０に関連するコネクタ１５５の数（および／またはケーブルの数）と合わせられることを理解されたい。
【００４２】
図１１Ａ〜１１Ｇに移ると、バンドル・クリップ１１００の実施形態が示されている。バンドル・クリップ１１００には、弾力のある柔軟な材料からなる全体的に円筒形の本体１１１０が含まれる。一実施形態で、バンドル・クリップ１１００がプラスティック材料から構成されるが、クリップを他の適切な弾力のある材料から形成することができる。もう１つの実施形態で、バンドル・クリップ１１００が成形法を使用して構成され（たとえば、射出成形されたプラスティック）、もう１つの実施形態では、バンドル・クリップ１１００が単一の部品（たとえば射出成形法によって達成できる）として構成される。
【００４３】
上述したように、バンドル・クリップ１１００に、全体的に円筒形の本体１１１０が含まれ、この本体１１１０によって、内部領域１１１５が区画される。一実施形態で、この円筒形の本体１１１０を実質的に丸いものとすることができ、もう１つの実施形態で、円筒形の本体１１１０が、図１１ＡからＨに示されているように、楕円形の形を有することができる。使用中に、複数のケーブルが内部領域１１１５内に配置され、バンドル・クリップ１１００はこれらのケーブルを一緒に１束に保持する。バンドル・クリップ１１００は、内部領域１１１５に所望の数のケーブルを受けるように適合させることができる。一実施形態で、内部領域１１１５が、上で説明したケーブル・クリップ８００の１つによって保持されるすべてのケーブルを受けるサイズにされ、形状にされる。バンドル・クリップ１１００は、電気（たとえば銅線）または光（たとえば光ファイバ）のいずれであれ、すべてのタイプのケーブルを保持することができる。
【００４４】
クリップ本体１１１０によって、さらに、入口１１２０が区画され、入口には、内部領域１１１５に開かれたスロットが含まれる。内部領域１１１５内にケーブル２（図１１Ｃおよび１１Ｅを参照されたい）を挿入するために、ケーブルが、入口１１２０を介して内部領域１１１５に挿入される。内部領域１１１５に置かれたケーブルがバンドル・クリップ１１００から逃げられないことを保証するために、入口１１２０は、バンドル・クリップがそれのために使用されることを意図されたケーブル２の直径より小さい幅寸法を有する。内部領域１１１５へのケーブル２の挿入は、本体が弾性変形する際に（本体１１１０が入口１１２０の分離を許容するように曲がる時）に弾力のある本体１１１０によってもたらされる反力に打ち勝つのに十分な力で入口１１２０にケーブルを押し付けることによって達成される。図１１Ａ、１１Ｃ、１１Ｅからわかるように、クリップ本体１１１０の、入口１１２０に近い端１１１３、１１１４は、入口を介する内部領域１１１５へのケーブル２の挿入を容易にするために、丸みをつけられることに留意されたい。もう１つの実施形態では、図１１Ｈに示されているように、内部領域１１１５へのケーブル２の挿入を容易にするために、クリップ本体１１１０の端１１１３、１１１４を曲線にすることができる（たとえば、端１１１３および１１１４のそれぞれを、全体的に半円の形にする）。一実施形態で、バンドル・クリップ１１００を、さまざまな直径のケーブル（たとえば、銅ケーブルおよび比較的細い光ファイバ・ケーブル）と共に使用されるように設計することができることに留意されたい。この実施形態では、入口１１２０を、小さい直径のケーブルが逃げないサイズにしなければならず、内部領域１１１５を、複数の大きい直径のケーブルを受けるサイズにしなければならない。
【００４５】
バンドル・クリップの本体１１１０に配置されるのが、第１結合機構１１３０と第２結合機構１１４０であり、結合機構１１３０、１１４０は、本体１１１０の対向する側面に（たとえば、クリップ本体の中心１１０５の回りで測定して約１８０°離れて）配置される。第１、第２の結合機構１１３０、１１４０は、バンドル・クリップ１１００を１つまたは複数の他のバンドル・クリップと相互接続するように機能する。第１結合機構１１３０に、クリップ本体１１１０から延び、その端に配置された突起１１３２を有する弾力のある柔軟な腕１１３１が含まれる。柔軟な腕１１３１に隣接して配置されるのが、キー溝１１３４である（これには、図示の実施形態で、下で説明するように、別のバンドル・クリップの対応するキーとかみ合うように構成されたスロットが含まれる）。第２結合機構１１４０に、チャネル１１４５（第２のバンドル・クリップの第１結合機構１１３０の突起１１３２を滑り可能に受けるサイズにされる）が含まれる。第２結合機構１１４０に、チャネル１１４５内に配置された保持要素１１４６も含まれ、保持要素１１４６には、チャネル１１４５の底面から外に延びる材料の壁（２つのバンドル・クリップを一緒にロックするために、第２のバンドル・クリップの突起１１３２と相互作用するように構成される）が含まれる。第２結合機構１１４０に、さらに、キー１１４８（図示の実施形態では、第２のバンドル・クリップのキー溝１１３４とかみ合うように構成された「ダブテール」様の構造を含む）が含まれる。
【００４６】
２つのバンドル・クリップ１１００の相互接続を図１２Ａ〜１２Ｃに示す。これらの図を参照すると、第１バンドル・クリップ１１００ａが、第２バンドル・クリップ１１００ｂと結合される。第１バンドル・クリップ１１００ａの第１結合機構１１３０が、第２バンドル・クリップ１１００ｂの第２結合機構１１４０と結合される。相互接続されたバンドル・クリップ１１００ａ、１１００ｂの透視図を図１２Ａに示し、上面図と底面図を、それぞれ図１２Ｂ、１２Ｃに示す。第１バンドル・クリップ１１００ａの第１結合機構１１３０の突起１１３２（図１２Ｂを参照されたい）が、第２バンドル・クリップ１１００ｂの第２結合機構１１４０の保持要素１１４６（図１２Ｃを参照されたい）とかみ合う。さらに、図１２Ｃからわかるように、第２クリップ１１００ｂの第２結合機構１１４０のキー１１４８が、第１クリップ１１００ａの第１結合機構１１３０のキー溝１１３４と係合する。
【００４７】
２つのバンドル・クリップ１１００ａと１１００ｂを相互接続するために、第１結合機構１１３０（第１クリップ１１００ａ上）の突起１１３２が、第２結合機構１１４０（第２バンドル・クリップ１１００ｂ上）のチャネル１１４５に滑って入り、第２結合機構１１４０のキー１１４８が、第１結合機構１１３０のキー溝１１３４に挿入される。２つのクリップの結合機構１１３０、１１４０は、キー溝１１３４（図１１Ｂを参照されたい）の下側の面１１３９が、キー１１４８（図１１Ａを参照されたい）の底面１１４９と接する（または少なくとも非常に近づく）まで一緒に滑らされる。キー１１４８とキー溝１１３４が完全に係合した時に、第１結合機構１１３０の突起１１３２が、第２結合機構１１４０の保持要素１１４６と係合している。突起１１３２は、突起１１３２が配置された柔軟な腕１１３１が、突起が保持要素１１４６を滑る際に弾性変形する（たとえば曲がる）ので、保持要素１１４６と係合することができる。突起１１３２と保持要素１１４６の間の相互作用およびキー１１４８とキー溝１１３４の間の係合が、一緒に機能して、第１、第２のバンドル・クリップが一緒に固定される。相互接続されたバンドル・クリップ１１００ａ、１１００ｂを分離するために、腕の上の突起１１３２が保持要素１１４６の上を滑り、第２結合機構１１４０のチャネル１１４５を後退する際に第１結合機構の柔軟な腕１１３１の弾性変形から生じる力に打ち勝つのに十分な力によって、クリップが離れる方向に滑らされる。
【００４８】
適切な数のバンドル・クリップを、上の説明に似た形で一緒に固定することができる。たとえば、図１２Ａを参照すると、第３のバンドル・クリップ１１００を、第１バンドル・クリップ１１００ａに固定することができ、第３バンドル・クリップの第１結合機構１１３０が、第１バンドル・クリップ１１００ａの第２結合機構１１４０に結合される。同様に、第３バンドル・クリップに加えて（またはその代わりに）、第４のバンドル・クリップ１１００を、第２バンドル・クリップ１１００ｂに固定することができ、第２バンドル・クリップ１１００ｂの第１結合機構１１３０が、第４バンドル・クリップの第２結合機構１１４０と結合される。図１１Ａ〜１１Ｇと図１２Ａ〜１２Ｃに示された結合機構１１３０、１１４０が、バンドル・クリップ１１００を相互接続できる形の１つの例にすぎないことを理解されたい。当業者は、他の適切な方式またはデバイスを使用して、複数のバンドル・クリップ１１００を相互接続できることを諒解するであろう。
【００４９】
図１１Ａ〜１２Ｃの参照を続けると、一実施形態で、バンドル・クリップ１１００に、クリップ本体１１１０から外に延びる２つの対向する支持要素１１５０が含まれる。支持要素１１５０は、中心１１０５の回りで測定して１８０°だけ本体１１１０の上で離隔されている。２つのバンドル・クリップ１１００ａ、１１００ｂが相互接続される時（図１２Ａ〜１２Ｃを参照されたい）に、第１クリップの支持要素１１５０の１つが、第２クリップの本体の外面に接触し（または少なくとも非常に近づき）同様に、第２クリップの支持要素１１５０の１つが、第１クリップの本体の外面に接触する（または少なくとも非常に近づく）。したがって、支持要素１１５０は、２つの取り付けられたバンドル・クリップ１１００ａ、１１００ｂの間の相互作用を安定化するように機能し、バンドル・クリップ１１００ａ、１１００ｂの曲げまたはねじれを防ぐ（たとえば、リンクされた結合機構１１３０、１１４０の間で形成されるジョイントの回りの曲げ）。
【００５０】
バンドル・クリップ１１００の使用の例を図１３に示す。この図を参照すると、バンドル・クリップ１１００ａ、１１００ｂの第１組が相互接続され、バンドル・クリップ１１００ａ、１１００ｂのそれぞれが、それぞれの内部領域１１１５にケーブル２のグループを保持している。バンドル・クリップ１１００ｃ、１１００ｄ、１１００ｅの第２組も相互接続され、これらのバンドル・クリップのそれぞれが、ケーブル２のグループを保持する。第１組のバンドル・クリップ１１００ａと第２組のバンドル・クリップ１１００ｃが、それぞれケーブル２の同一のグループを保持することに留意されたい。同様に、第１組と第２組のバンドル・クリップ１１００ｂ、１１００ｄが、それぞれケーブルの同一のグループを保持する。バンドル・クリップの相互接続された第３組に、クリップ１１００ｆ、１１００ｇ、１１００ｈ、１１１００ｉ、１１００ｊが含まれ、これらのクリップのそれぞれが、ケーブル２のグループを保持する。やはり、第３組のバンドル・クリップの一部は、第２組のバンドル・クリップと同一のケーブルのグループ（および第１組のバンドル・クリップと同一のケーブルのグループ）を保持する。たとえば、バンドル・クリップ１１００ａ、１１００ｃ、１１００ｆのすべてが、ケーブル２の同一のグループを保持する。
【００５１】
一実施形態で、１つまたは複数のバンドル・クリップ１１００がケーブル管理を実行するために、１つまたは複数のケーブル・クリップ８００と組合わせて使用される。複数のケーブル・クリップ８００と組合わされた複数のバンドル・クリップ１１００の使用の例の実施形態を図１４に示す。この図を参照すると、ブレード１５０に、複数のコネクタ１５５が含まれる。コネクタ１５５は、２×６アレイ１５９ａ、１５９ｂ、１５９ｃに構成された１２個のコネクタのグループに一緒に配置される。３つのケーブル・クリップ８００ａ、８００ｂ、８００ｃが、端と端を接して一緒に相互接続され、クリップ８００ａ〜ｃのそれぞれが、２×６アレイ１５９ａ〜ｃの１つに関連するすべてのケーブル２を保持する（たとえば、クリップ８００ａは、コネクタの２×６アレイ１５９ａから発するすべてのケーブルを保持する）。複数のバンドル・クリップ１１００ａ〜１１００ｊも、ケーブル２の管理に使用される。バンドル・クリップ１１００ａ、１１００ｂが一緒に接続され、バンドル・クリップ１１００ｃ、１１００ｄ、１１００ｅが一緒に接続され、バンドル・クリップ１１００ｆ〜１１００ｊが一緒に接続される。バンドル・クリップ１１００ａ〜ｊのそれぞれが、ケーブル２のグループを保持する。図１４の実施形態では、バンドル・クリップ１１００ａ〜ｊのそれぞれが、ケーブル・クリップ８００ａ〜ｃの１つ（およびコネクタの２×６アレイ１５９ａ〜ｃの１つ）に関連するすべてのケーブルを保持する。たとえば、ケーブル・クリップ８００ａによって保持されるケーブル２は、バンドル・クリップ１１００ｊによっても保持される。同様に、ケーブル・クリップ８００ｂによって保持されるケーブル２は、バンドル・クリップ１１００ｉによって保持され、ケーブル・クリップ８００ｃによって保持されるケーブル２は、バンドル・クリップ１１００ｅ、１１００ｈによって保持される（他のバンドル・クリップは、ブレード１５０から発し、図１４に示されていない他のケーブル・クリップによって保持されるケーブルを保持する）。考慮中の応用例の必要に応じて、適切な数のケーブル・クリップ８００とバンドル・クリップ１１００を組合わせて使用することができる。
【００５２】
もう１つの実施形態で、複数のケーブル・クリップ８００と複数のバンドル・クリップ１１００が、ケーブル管理を実行するためにケーブル・ハーネ ス３００と組合わせて使用される。たとえば、図１４に戻って、ブレード１５０から発する（かつ、ケーブル・クリップ８００ａ〜ｃとバンドル・クリップ１１００ａ〜ｊによって保持される）ケーブルのすべてを、フレーム４００のチャネル４３０の１つまたはチャネル・アレイ５００のチャネル５３０の１つに向けることができ、このチャネル（４３０または５３０）によって、ケーブルを、レースウェイ５１、５２、５３（図２を参照されたい）の１つにルーティングする。もう１つの実施形態では、１つのブレードからのケーブルのすべてをケーブル・ハーネス３００の単一のチャネル（４３０または５３０）にルーティングするのではなく、単一のブレードからのケーブルが、ケーブル・ハーネスの複数の異なるチャネルを介してルーティングされる。
【００５３】
図１５に示されているのは、ケーブル・ハーネス３００を複数のケーブル・クリップ８００と複数のバンドル・クリップ１１００と組合わせて使用してラック・マウント設備のケーブルを管理する方法１５００の実施形態である。ブロック１５１０を参照すると、複数のケーブルが、ラック内に配置されたブレードに接続され、ラックは、それに固定されたケーブル・ハーネス３００を有する。ブロック１５２０に示されているように、ケーブルが、１つまたは複数のケーブル・クリップ８００に固定され、ブロック１５３０に示されているように、これらのクリップが相互接続される。ブロック１５４０を参照すると、ケーブルが、１つまたは複数のバンドル・クリップ１１００に固定され、ブロック１５５０に示されているように、バンドル・クリップが相互接続される。ブロック１５６０に示されているように、ケーブルが、ケーブル・ハーネス３００のチャネルの１つ（または複数のチャネル）（たとえばフレーム４００のチャネル４３０またはチャネル・アレイ５００のチャネル５３０のいずれか）に配置される。ブロック１５７０を参照すると、ケーブル・ハーネスによって、ケーブルが、ラックに隣接するレースウェイにルーティングされる。上で説明した手順を、ラック内のブレードごとに繰り返すことができる。
【００５４】
ケーブル・ハーネス３００、ケーブル・クリップ８００、バンドル・クリップ１１００、さらにはケーブル管理の方法１５００の実施形態を上で説明したので、当業者は、開示された実施形態の長所を諒解するであろう。ケーブル・ハーネス３００は、ラックの対向する側面のいずれかと、垂直に上を含む複数の方向でのケーブルのルーティングをもたらす。１つまたは複数のケーブル・クリップ８００とおそらくは１つまたは複数のバンドル・クリップ１１００の使用ならびに単一ブレードへのケーブル・ハーネスの特定のチャネルの専用化によって、複数のケーブルとそのそれぞれのブレード上のコネクタの間の空間的関係を、そのブレードがラックから除去された時に維持することができる。また、ケーブル・クリップ８００の組および／またはバンドル・クリップ１１００の組が、特定のブレードのケーブルのこれらの空間的関係を維持するのに使用される時に、ラックからそのブレードを除去する必要が生じた場合に、その特定のブレードに関連するケーブルを簡単に識別することができる。さらに、開示されたケーブル・ハーネス３００、ケーブル・クリップ８００、バンドル・クリップ１１００を、ケーブル管理システムとして組合わせて使用することができる。
【００５５】
前述の詳細な説明および添付図面は、例示のみであって制限ではない。これらは、主に開示された実施形態の明確で包括的な理解のために提供されたものであって、不要な制限はそこから理解されてはならない。本明細書に記載の実施形態に対する多数の追加、削除、修正ならびに代替配置を、開示された実施形態の趣旨および請求項の範囲から逸脱せずに、当業者が考案することができる。
【図面の簡単な説明】
【００５６】
【図１】普通のラック・マウント設備の実施形態を示す正面図である。
【図２】図１のラック・マウント設備内に配置されて図示されている、ケーブル・ハーネス・アセンブリの一実施形態を示す正面図である。
【図３Ａ】図２に示されたケーブル・ハーネス・アセンブリを示す透視図である。
【図３Ｂ】図２に示されたケーブル・ハーネス・アセンブリを示す正面図である。
【図４Ａ】図２および３Ａ〜３Ｂのケーブル・ハーネス・アセンブリの一部を含めることができる、フレームの一実施形態を示す透視図である。
【図４Ｂ】図２および３Ａ〜３Ｂのケーブル・ハーネス・アセンブリの一部を含めることができる、フレームの一実施形態を示す透視図である。
【図４Ｃ】図４Ａ〜４Ｂのフレームを示す正面図である。
【図４Ｄ】図４Ａ〜４Ｂのフレームを示す平面図である。
【図５Ａ】図２および３Ａ〜３Ｂのケーブル・ハーネス・アセンブリの一部を含めることができる、チャネル・アレイの一実施形態を示す透視図である
【図５Ｂ】図２および３Ａ〜３Ｂのケーブル・ハーネス・アセンブリの一部を含めることができる、チャネル・アレイの一実施形態を示す透視図である
【図５Ｃ−５Ｅ】図５Ａ〜５Ｂのチャネル・アレイを示す正面図である。
【図５Ｆ】図２および３Ａ〜３Ｂのケーブル・ハーネス・アセンブリの一部を含めることができる、チャネル・アレイのもう１つの実施形態を示す透視図である。
【図５Ｇ−５Ｈ】図５Ｆのチャネル・アレイを示す正面図である。
【図６Ａ】図２および３Ａ〜３Ｂのケーブル・ハーネス・アセンブリの一部を含めることができる、フロント・カバーの一実施形態を示す透視図である。
【図６Ｂ】図２および３Ａ〜３Ｂのケーブル・ハーネス・アセンブリの一部を含めることができる、フロント・カバーの一実施形態を示す透視図である。
【図６Ｃ−６Ｅ】図６Ａ〜６Ｂのフロント・カバーを示す正面図である。
【図６Ｆ】図２および３Ａ〜３Ｂのケーブル・ハーネス・アセンブリでの図６Ａ〜６Ｅのフロント・カバーの設置を示す断面図である。
【図７Ａ−７Ｃ】図２および３Ａ〜３Ｂのケーブル・ハーネス・アセンブリの一部を含めることができる、フロント・カバーのもう１つの実施形態を示す透視図である。
【図８Ａ−８Ｅ】ケーブル・クリップの一実施形態を示す透視図（Ａ）、正面図（Ｂ）側面図（Ｃ）、背面図（Ｄ）、平面図（Ｅ）である。
【図９Ａ−９Ｄ】図８Ａ〜８Ｅに示されたケーブル・クリップのうちの２つの相互接続を示す透視図（Ａ）、概略図（Ｂ、Ｃ）、図８Ａ〜８Ｅのケーブル・クリップの代替実施形態を示す部分側面図（Ｄ）である。
【図１０】図８Ａ〜８Ｅのケーブル・クリップの使用の例を示す透視図である。
【図１１Ａ−１１Ｂ】バンドル・クリップの一実施形態を示す透視図である。
【図１１Ｃ】図１０Ａ〜Ｂのバンドル・クリップを示す平面図である。
【図１１Ｄ】図１０Ａ〜Ｂのバンドル・クリップを示す側面図である。
【図１１Ｅ】図１０Ａ〜Ｂのバンドル・クリップを示すもう１つの平面図である。
【図１１Ｆ】図１０Ａ〜Ｂのバンドル・クリップを示すもう１つの側面図である。
【図１１Ｇ】図１０Ａ〜Ｂのバンドル・クリップを示すもう１つの側面図である。
【図１１Ｈ】バンドル・クリップのもう１つの実施形態を示す透視図である。
【図１２Ａ】図１０Ａ〜１０Ｇに示されたバンドル・クリップのうちの２つの相互接続を示す透視図である。
【図１２Ｂ】図１１Ａに示された２つのケーブル・バンドルの相互接続をさらに示す平面図である。
【図１２Ｃ】図１１Ａに示された２つのケーブル・バンドルの相互接続をさらに示すもう１つの平面図である。
【図１３】図１０Ａ〜１０Ｇに示されたバンドル・クリップの使用の例を示す透視図である。
【図１４】図１０Ａ〜１０Ｇのバンドル・クリップとあいまった図８Ａ〜８Ｅのケーブル・クリップの使用の例を示す透視図である。
【図１５】ラック・マウント設備のケーブルを管理する方法の一実施形態を示すブロック図である。
【符号の説明】
【００５７】
５１〜５３：レースウェイ、１００：ラック、１１０：ハウジング、１１９：穴、１２０：内部キャビティ、１５０：コンピューティング・デバイス、１５５：コネクタ、１９０：開かれたキャビティ、３００：ケーブル・ハーネス
【図１】
2005197225.tif 000003
【図２】
2005197225.tif 000004
【図３Ａ】
2005197225.tif 000005
【図３Ｂ】
2005197225.tif 000006
【図４Ａ】
2005197225.tif 000007
【図４Ｂ】
2005197225.tif 000008
【図４Ｃ】
2005197225.tif 000009
【図４Ｄ】
2005197225.tif 000010
【図５Ａ】
2005197225.tif 000011
【図５Ｂ】
2005197225.tif 000012
【図５Ｃ−５Ｅ】
2005197225.tif 000013
【図５Ｆ】
2005197225.tif 000014
【図５Ｇ−５Ｈ】
2005197225.tif 000015
【図６Ａ】
2005197225.tif 000016
【図６Ｂ】
2005197225.tif 000017
【図６Ｃ−６Ｅ】
2005197225.tif 000018
【図６Ｆ】
2005197225.tif 000019
【図７Ａ−７Ｃ】
2005197225.tif 000020
【図８Ａ−８Ｅ】
2005197225.tif 000021
【図９Ａ−９Ｄ】
2005197225.tif 000022
【図１０】
2005197225.tif 000023
【図１１Ａ−１１Ｂ】
2005197225.tif 000024
【図１１Ｃ】
2005197225.tif 000025
【図１１Ｄ】
2005197225.tif 000026
【図１１Ｅ】
2005197225.tif 000027
【図１１Ｆ】
2005197225.tif 000028
【図１１Ｇ】
2005197225.tif 000029
【図１１Ｈ】
2005197225.tif 000030
【図１２Ａ】
2005197225.tif 000031
【図１２Ｂ】
2005197225.tif 000032
【図１２Ｃ】
2005197225.tif 000033
【図１３】
2005197225.tif 000034
【図１４】
2005197225.tif 000035
【図１５】
2005197225.tif 000036
【手続補正書】
【提出日】平成16年12月24日(2004.12.24)
【手続補正１】
【補正対象書類名】明細書
【補正対象項目名】００５６
【補正方法】変更
【補正の内容】
【００５６】
【図１】普通のラック・マウント設備の実施形態を示す正面図である。
【図２】図１のラック・マウント設備内に配置されて図示されている、ケーブル・ハーネス・アセンブリの一実施形態を示す正面図である。
【図３Ａ】図２に示されたケーブル・ハーネス・アセンブリを示す透視図である。
【図３Ｂ】図２に示されたケーブル・ハーネス・アセンブリを示す正面図である。
【図４Ａ】図２および３Ａ〜３Ｂのケーブル・ハーネス・アセンブリの一部を含めることができる、フレームの一実施形態を示す透視図である。
【図４Ｂ】図２および３Ａ〜３Ｂのケーブル・ハーネス・アセンブリの一部を含めることができる、フレームの一実施形態を示す透視図である。
【図４Ｃ】図４Ａ〜４Ｂのフレームを示す正面図である。
【図４Ｄ】図４Ａ〜４Ｂのフレームを示す平面図である。
【図５Ａ】図２および３Ａ〜３Ｂのケーブル・ハーネス・アセンブリの一部を含めることができる、チャネル・アレイの一実施形態を示す透視図である
【図５Ｂ】図２および３Ａ〜３Ｂのケーブル・ハーネス・アセンブリの一部を含めることができる、チャネル・アレイの一実施形態を示す透視図である
【図５Ｃ】図５Ａ〜５Ｂのチャネル・アレイを示す正面図である。
【図５Ｄ】図５Ａ〜５Ｂのチャネル・アレイを示す正面図である。
【図５Ｅ】図５Ａ〜５Ｂのチャネル・アレイを示す正面図である。
【図５Ｆ】図２および３Ａ〜３Ｂのケーブル・ハーネス・アセンブリの一部を含めることができる、チャネル・アレイのもう１つの実施形態を示す透視図である。
【図５Ｇ】図５Ｆのチャネル・アレイを示す正面図である。
【図５Ｈ】図５Ｆのチャネル・アレイを示す平面図である。
【図６Ａ】図２および３Ａ〜３Ｂのケーブル・ハーネス・アセンブリの一部を含めることができる、フロント・カバーの一実施形態を示す透視図である。
【図６Ｂ】図２および３Ａ〜３Ｂのケーブル・ハーネス・アセンブリの一部を含めることができる、フロント・カバーの一実施形態を示す透視図である。
【図６Ｃ】図６Ａ〜６Ｂのフロント・カバーを示す正面図である。
【図６Ｄ】図６Ａ〜６Ｂのフロント・カバーを示す底面図である。
【図６Ｅ】図６Ａ〜６Ｂのフロント・カバーを示す側面図である。
【図６Ｆ】図２および３Ａ〜３Ｂのケーブル・ハーネス・アセンブリでの図６Ａ〜６Ｅのフロント・カバーの設置を示す断面図である。
【図７】図２および３Ａ〜３Ｂのケーブル・ハーネス・アセンブリの一部を含めることができる、フロント・カバーのもう１つの実施形態を示す透視図である。
【図８】ケーブル・クリップの一実施形態を示す透視図（Ａ）、正面図（Ｂ）、側面図（Ｃ）、背面図（Ｄ）、平面図（Ｅ）である。
【図９】図８Ａ〜８Ｅに示されたケーブル・クリップのうちの２つの相互接続を示す透視図（Ａ）、概略図（Ｂ、Ｃ）、図８Ａ〜８Ｅのケーブル・クリップの代替実施形態を示す部分側面図（Ｄ）である。
【図１０】図８Ａ〜８Ｅのケーブル・クリップの使用の例を示す透視図である。
【図１１Ａ】バンドル・クリップの一実施形態を示す透視図である。
【図１１Ｂ】バンドル・クリップの一実施形態を示す透視図である。
【図１１Ｃ】図１０Ａ〜Ｂのバンドル・クリップを示す平面図である。
【図１１Ｄ】図１０Ａ〜Ｂのバンドル・クリップを示す側面図である。
【図１１Ｅ】図１０Ａ〜Ｂのバンドル・クリップを示すもう１つの平面図である。
【図１１Ｆ】図１０Ａ〜Ｂのバンドル・クリップを示すもう１つの側面図である。
【図１１Ｇ】図１０Ａ〜Ｂのバンドル・クリップを示すもう１つの側面図である。
【図１１Ｈ】バンドル・クリップのもう１つの実施形態を示す透視図である。
【図１２】Ａ：図１０Ａ〜１０Ｇに示されたバンドル・クリップのうちの２つの相互接続を示す透視図である。  Ｂ：図１１Ａに示された２つのケーブル・バンドルの相互接続をさらに示す平面図である。  Ｃ：図１１Ａに示された２つのケーブル・バンドルの相互接続をさらに示すもう１つの平面図である。
【図１３】図１０Ａ〜１０Ｇに示されたバンドル・クリップの使用の例を示す透視図である。
【図１４】図１０Ａ〜１０Ｇのバンドル・クリップとあいまった図８Ａ〜８Ｅのケーブル・クリップの使用の例を示す透視図である。
【図１５】ラック・マウント設備のケーブルを管理する方法の一実施形態を示すブロック図である。
【手続補正２】
【補正対象書類名】図面
【補正対象項目名】全図
【補正方法】変更
【補正の内容】
【図１】
2005197225.tif 000037
【図２】
2005197225.tif 000038
【図３Ａ】
2005197225.tif 000039
【図３Ｂ】
2005197225.tif 000040
【図４Ａ】
2005197225.tif 000041
【図４Ｂ】
2005197225.tif 000042
【図４Ｃ】
2005197225.tif 000043
【図４Ｄ】
2005197225.tif 000044
【図５Ａ】
2005197225.tif 000045
【図５Ｂ】
2005197225.tif 000046
【図５Ｃ】
2005197225.tif 000047
【図５Ｄ】
2005197225.tif 000048
【図５Ｅ】
2005197225.tif 000049
【図５Ｆ】
2005197225.tif 000050
【図５Ｇ】
2005197225.tif 000051
【図５Ｈ】
2005197225.tif 000052
【図６Ａ】
2005197225.tif 000053
【図６Ｂ】
2005197225.tif 000054
【図６Ｃ】
2005197225.tif 000055
【図６Ｄ】
2005197225.tif 000056
【図６Ｅ】
2005197225.tif 000057
【図６Ｆ】
2005197225.tif 000058
【図７】
2005197225.tif 000059
【図８】
2005197225.tif 000060
【図９】
2005197225.tif 000061
【図１０】
2005197225.tif 000062
【図１１Ａ】
2005197225.tif 000063
【図１１Ｂ】
2005197225.tif 000064
【図１１Ｃ】
2005197225.tif 000065
【図１１Ｄ】
2005197225.tif 000066
【図１１Ｅ】
2005197225.tif 000067
【図１１Ｆ】
2005197225.tif 000068
【図１１Ｇ】
2005197225.tif 000069
【図１１Ｈ】
2005197225.tif 000070
【図１２】
2005197225.tif 000071
【図１３】
2005197225.tif 000072
【図１４】
2005197225.tif 000073
【図１５】
2005197225.tif 000074